(57)【要約】【課題】タブの固定部と引き上げ部との間に表示を付加するに際して、タブに必要な剛性を確保すると共に表示の乱れを抑止する。【解決手段】缶蓋開口用タブは、長手方向の一端側に設けられる引き上げ部と、長手方向の他端側に設けられる押し下げ部と、引き上げ部と押し下げ部の間に設けられ、Ｕ字状のスロットによって区画形成されて缶蓋本体に固定される固定部と、押し下げ部に設けられる連結片切断痕を除く周縁に連続して形成されるカール部とを備え、固定部と引き上げ部との間の表面が表示面であり、表示面の裏面側は成形ツールが当接される被当接面である。【選択図】図１
2020001710.tif 000002
【特許請求の範囲】
【請求項１】
長手方向の一端側に設けられる引き上げ部と、
長手方向の他端側に設けられる押し下げ部と、
前記引き上げ部と前記押し下げ部の間に設けられ、Ｕ字状のスロットによって区画形成されて缶蓋本体に固定される固定部と、
前記押し下げ部に設けられる連結片切断痕を除く周縁に連続して形成されるカール部とを備え、
前記固定部と前記引き上げ部との間の表面が表示面であり、前記表示面の裏面側は成形ツールが当接される被当接面であることを特徴とする缶蓋開口用タブ。
【請求項２】
前記表示面には、レーザーマーキング又はインクジェットプリントにより描画された表示部が形成され、
前記固定部と前記引き上げ部の間には、前記表示面側が凸状に成形され、前記被当接面側が凹状に成形された成形部が設けられていることを特徴とする請求項１記載の缶蓋開口用タブ。
【請求項３】
前記被当接面がフラットに成形されていることを特徴とする請求項１記載の缶開口用タブ。
【請求項４】
請求項１〜３のいずれかに１項に記載された缶蓋開口用タブと、
前記固定部が固定されると共に前記押し下げ部の押し下げで破断するスコアによって画成される開口片を有する缶蓋本体とを備える缶蓋。
【発明の詳細な説明】
【技術分野】
【０００１】
本発明は、缶蓋開口用のタブに関するものである。
【背景技術】
【０００２】
ステイオンタブ型の開口用タブを備えた缶蓋が一般に知られている。このような缶蓋は、缶蓋本体のパネルにタブが固定されており、タブは、リベットで缶蓋本体に固定される固定部と、固定部からスリットで分離されて指によって引き上げられる引き上げ部と、固定部を支点として引き上げ部の引き上げに応じて押し下げられる押し下げ部を備えており、缶蓋の開口は、タブの押し下げ部がパネルに形成されたスコアを破断させることで、スコアで区画された開口片が缶の内側に没入して缶蓋が開口する。
【０００３】
このような缶蓋における開口用のタブは、固定部が支点、引き上げ部が力点、押し下げ部が作用点となるてこの原理を利用して、開口操作時に指に掛かる力の軽減を図っており、固定部から引き上げ部までの長さが固定部から押し下げ部までの長さより長くなっている。また、引き上げ部の引き上げに対して押し上げ部の押し下げが連動するように、引き上げ部と押し下げ部を繋ぐタブの周縁には、剛性を高めるためのカール部が形成されている。
【０００４】
そして、一般に、タブの固定部と引き上げ部との間には、フィンガーホールと呼ばれる孔が形成されている。これに対して、引き上げ部と固定部との間にフィンガーホールを設けていないタブも知られている（下記特許文献１参照）。このようなタブは、固定部と引き上げ部との間にタブパネルを設け、その一部に情報や絵柄などの表示を付与することによって、加飾性を高めることができる。
【先行技術文献】
【特許文献】
【０００５】
【特許文献１】特開２０１７−１２１９６７号公報
【発明の概要】
【発明が解決しようとする課題】
【０００６】
前述したタブは、帯状コイルに複数のタブを連ねた状態で製造される。その際に、タブは、帯状コイルから複数の工程を経て打ち抜き成形されるが、先ず帯状コイルに必要な孔加工が施され、次いで、所謂キャリーポイントとなる連結片を除く環状のカット線でタブの外形が打ち抜かれ、複数のタブを連結片でコイルに連ねた状態で、凹凸成形や周縁をカール成形するなど、所要のタブ成形加工が施され、最後に連結片を切断してタブを缶蓋本体に取り付けている。
【０００７】
この際、前述したキャリーポイントとなる連結片が固定部の左右両側に存在していると、その連結片が存在した箇所で周縁に設けるカール部が途切れることになり、その途切れた箇所でタブの剛性が低下してしまう。このため、前述した従来技術のように、固定部と引き上げ部の間にフィンガーホールが存在していないものでは、開口操作時で引き上げ部を引き上げる際に、連結片が存在していたカール部の途切れ箇所が屈曲点となって、タブが折れ曲がり易く、開口に必要なタブの剛性を得ることができない問題が生じる。
【０００８】
また、ステイオンタブ型の開口用タブは、缶を手にした人が、開口操作する際に特に注目する箇所であり、開口後も缶蓋本体から切り離されることがないので、その一部に情報や絵柄などの表示を付与することによって、前述したように加飾性を高めることができると共に、効果的に情報提供や広告を行うことができる。
【０００９】
タブへの表示は、固定部と引き上げ部との間のフィンガーホールを無くして、そこに表示を行うことが有効である。しかしながら、固定部と引き上げ部との間にレーザーマーキングやインクジェットプリントなどで表示を行った場合には、そこに前述した従来技術のように表面が下向きに凸のタブパネルを成形すると、成形ツールのツール面が表示が付された面に接触することになり、レーザーマーキング時に生じる粉塵やインクジェットプリントのインクがツール面に転写されて、自身のタブの表示を乱したり、帯状コイルに連なっている他のタブの加工時に、成形ツールのツール面に転写された粉塵やインクが他のタブに転写されて、他のタブの表示を乱したりする不具合が生じる問題があった。
【００１０】
また、タブの製造では、前述したように、タブの周縁にカール成形する加工を施しているが、その加工においてタブの固定部と引き上げ部との間が湾曲することがあり、この湾曲をリフォーム成形して平面化することが行われている。その際に、湾曲した固定部と引き上げ部との間にレーザーマーキングやインクジェットプリントなどによる表示が付されていると、リフォーム成形を行う成形ツールのツール面に対して前述した粉塵やインクが転写されることになり、その場合にも前述した問題と同様の問題が生じることになる。
【００１１】
また、フィルガーホールが存在しないものでは、開口操作時に引き上げ部を引き上げる際に、上面を下向き凸状に形成するとタブパネルに指が接触することにより、良好な操作感を得ることができない問題が生じる。
【００１２】
本発明は、このような事情に対処するために提案されたものである。すなわち、タブの固定部と引き上げ部との間に表示を付加するに際して、タブに必要な剛性を確保すること、表示の乱れを抑止すること、開口時に良好な操作感を得ることができることなどが、本発明の課題である。
【課題を解決するための手段】
【００１３】
このような課題を解決するために、本発明による缶蓋開口用タブは、以下の構成を具備するものである。
長手方向の一端側に設けられる引き上げ部と、長手方向の他端側に設けられる押し下げ部と、前記引き上げ部と前記押し下げ部の間に設けられ、Ｕ字状のスロットによって区画形成されて缶蓋本体に固定される固定部と、前記押し下げ部に設けられる連結片切断痕を除く周縁に連続して形成されるカール部とを備え、前記固定部と前記引き上げ部との間の表面が表示面であり、前記表示面の裏面側は成形ツールが当接される被当接面であることを特徴とする缶蓋開口用タブ。
【図面の簡単な説明】
【００１４】
【図１】本発明の実施形態に係る缶蓋開口用タブを示した説明図（（ａ）がＡ−Ａ断面図、（ｂ）が平面図、（ｃ）が背面図）である。
【図２】本発明の他の実施形態に係る缶蓋開口用タブを示した説明図（（ａ）がＡ−Ａ断面図、（ｂ）が平面図、（ｃ）が背面図）である。
【図３】本発明の他の実施形態に係る缶蓋開口用タブを示した説明図（（ａ）がＡ−Ａ断面図、（ｂ）が平面図、（ｃ）が背面図）である。
【図４】本発明の他の実施形態に係る缶蓋開口用タブを示した説明図（（ａ）がＡ−Ａ断面図、（ｂ）が平面図）である。
【図５】本発明の他の実施形態に係る缶蓋開口用タブを示した説明図（（ａ）がＡ−Ａ断面図、（ｂ）が平面図）である。
【図６】本発明の実施形態に係る缶蓋開口用タブにおける表示部の位置を示した説明図である（（ａ）が図１に示した例であり、（ｂ）が図３に示した例である。）。
【図７】缶蓋開口用タブが取り付けられる缶蓋の製造方法を示した説明図である。
【図８】缶蓋開口用タブの形成過程を示した説明図（（ａ）が表示部の描画後の状態、（ｂ）が孔加工後の状態、（ｃ）が外周部分の打ち抜き後の状態）である。
【図９】缶蓋開口用タブの形成過程を示した説明図（（ａ），（ｂ）が凹凸成形後の状態、（ｃ）がカール成形後の状態）である。
【図１０】タブパネルの凹凸成形加工を示した説明図（（ａ）が成形前の状態、（ｂ）が成形後の状態）である。
【発明を実施するための形態】
【００１５】
以下、図面を参照して本発明の実施形態を説明する。以下の説明で、異なる図における同一符号は同一機能の部位を示しており、各図における重複説明は適宜省略する。図１〜図３における矢印Ｘ方向は缶蓋開口用タブの長手方向を示し、矢印Ｙ方向は平面視してＸ方向に直交する方向を示し、矢印Ｚ方向は、缶蓋開口用タブの厚さ方向を示している。
【００１６】
図１〜図３に示すように、缶蓋開口用タブ（以下、タブ）１（１Ａ，１Ｂ，１Ｃ）は、長手方向（図示Ｘ方向）の一端側に引き上げ部２、長手方向（図示Ｘ方向）の他端側に押し下げ部３、引き上げ部２と押し下げ部３との間に固定部４が設けられている。
【００１７】
引き上げ部２は、開口操作を行う人の指が掛けられる部位であり、図示Ｚ方向に引き上げることで開口操作が行われる。押し下げ部３は、引き上げ部２の引き上げによって逆向きに押し下げられる部位であり、この部位が缶蓋本体のパネルに当接して押し下げられることで缶蓋本体のスコアが破断する。
【００１８】
固定部４は、Ｕ字状のスロット５によって区画形成されており、缶蓋本体のパネルに設けられるリベットが挿入するリベット孔６を備えており、リベットをリベット孔６に挿入してかしめることで、固定部４が缶蓋本体に固定される。
【００１９】
押し下げ部３の中央には、連結片切断痕７が有る。そして、連結片切断痕７を除くタブ１の外周縁には、カール部８が形成されている。カール部８は、引き上げ部２を力点、固定部４を支点、押し下げ部３を作用点とするてこ棒としてタブ１が機能するために、タブ１の屈曲剛性を高めている。ここで、連結片切断痕７を押し下げ部３に設けていることで、カール部８の途切れ箇所が開口操作時に引き上げ部２を引き上げる際に曲げ力が加わらない位置に配置されており、これによってタブ１は缶蓋の開口に必要な剛性を備えている。
【００２０】
タブ１（１Ａ，１Ｂ，１Ｃ）には、成形加工が施されている。一つには、固定部４の周囲にＺ方向とは逆側に凸の成形部１０が設けられており、それに加えて、引き上げ部２と固定部４との間に成形加工が施されている。図１に示すタブ１（１Ａ）は、引き上げ部２と固定部４との間に、図示Ｚ方向に凸状に成形された（すなわち、表面側が凸状に成形され、裏面側が凹状に成形された）成形部１１が設けられている。図２に示すタブ１（１Ｂ）は、引き上げ部２と固定部４との間に、図示Ｚ方向に凸のドーム状に成形された成形部１２が設けられている。図３に示すタブ１（１Ｃ）は、リフォーム成形によって、引き上げ部２と固定部４の間をフラットにしている。
【００２１】
タブ１（１Ａ，１Ｂ，１Ｃ）は、表示面２０を備えている。表示面２０は、図示省略しているが、引き上げ部２と固定部４との間の表面であって、レーザーマーキング又はインクジェットプリントなどによって、２次元コード、ロゴ、絵、文字、番号等が描画された表示部が形成されている。そして、表示面２０の裏面側は、前述したような成形加工を施すための被当接面２１になっている。被当接面２１には、前述した成形部１１，１２の成形、或いは図３におけるリフォーム成形を行うための成形ツールが当接する。
【００２２】
図４及び図５は、他の例（タブ１（１Ｄ，１Ｅ））を示している。前述の例と同様の部位には同一符号を付して重複説明を省略する。図４に示したタブ１（１Ｄ）は、引き上げ部２と固定部４との間の表示面２０（或いは被当接面２１）に、成形部１３を設け、その周囲にビード形状部１５を設けている。成形部１３は、表面側が凸状（上向き凸状）に形成されており、ビード形状部１５は、成形部１３の周囲を断面波状に成形している。図５に示したタブ１（１Ｅ）は、引き上げ部２と固定部４との間の表示面２０（或いは被当接面２１）に、成形部１４を設け、成形部１４と固定部４との間に、段差部１６を形成して、成形部１４と表示部２０と引き上げ部２からなるチップアップ形状部１７を設けている。成形部１４は、表面側が凸状（上向き凸状）に形成されており、段差部１６は、成形部１４と固定部４との間に段差を設けている。
【００２３】
図６は、タブ１の表示面２０における表示部２０Ａの位置を示している。図６（ａ）に示した例では、表示部２０Ａは、表示面２０に設けた成形部１１の範囲内に設けられており、図６（ｂ）に示した例では、フラットに成形された表示面２０の所定範囲に表示部２０Ａが設けられている。表示部２０ＡのサイズＬ１×Ｌ２は適宜に設定することができる（例えばＬ１＝４．５〜８．８ｍｍ、Ｌ２＝７．０〜１１．６ｍｍ）。
【００２４】
タブ１が取り付けられる缶蓋は、図７に示すように製造される。すなわち、コイルＣから巻き戻されたタブ材Ｔが、先ず、描画装置（例えば、レーザーマーカ）３０に通され、タブ材Ｔの表面にレーザーマーキングなどで描画された表示部が形成される。次に、表示部が形成されたタブ材Ｔは、タブ成形機３１に通され、タブ１が形成される。
【００２５】
図８及び図９は、タブ材Ｔが描画装置３０とタブ成形機３１を通過する間のタブ形成過程を示している。図８（ａ）には、タブ材Ｔの表面に表示部Ｔ１を描画した状態を示している。図７に示した描画装置３０内で表示部Ｔ１が形成される。図８（ｂ）は、タブ材Ｔにタブ成形機３１内で孔加工を施した状態を示している。ここでは、設定位置にリベット孔６とＵ字状のスロット５を形成し、更に連結片（キャリーポイント）Ｔ４を形成するための孔Ｔ２，Ｔ３を形成している。図９（ｃ）では、タブの外周縁の更に外側を画定するカット線Ｔ５を打ち抜き加工で形成している。
【００２６】
図９（ａ）は、カット線Ｔ５の内側とリベット孔６とスロット５の近くに成形部を形成した状態を示しており、図９（ｂ）は、スロット５の外側に成形部１０を形成すると共に、成形部１１を形成している。
【００２７】
成形部１１の成形は、図１０に示すように、タブ成形機３１内に備えられる成形ダイ４０と成形ツール４１を用いる。ここで、タブ材Ｔの表示部Ｔ１が形成された表示面２０は、図１０（ａ）に示すように、成形ダイ４０のダイ孔４０Ａ内に向けて配置され、成形ツール４１は、タブ材Ｔの裏面の被当接面２１に対面して配置されている。
【００２８】
そして、タブ材Ｔの被当接面２１に成形ツール４１を当接させ、成形ツール４１をダイ孔４０Ａに押し込むことで、図１０（ｂ）に示すように、ダイ孔４０Ａ内にて成形部１１が成形される。この際、成形ツール４１は、表示面２０の裏面側の被当接面２１に当接して成形が行われるので、表示面２０に形成された表示部Ｔ１に成形ツール４１が接触することを回避することができる。これによって、表示部Ｔ１の表示状態を乱すこと無く、また、成形ツール４１に表示部Ｔ１にある粉塵やインクが転写されること無く、成形部１１を成形することができる。また、タブ１（１Ｃ）は、被当接面２１がフラットに形成されているので、表示部Ｔ１の面積をタブ１（１Ａ，１Ｂ）よりも広く確保できる。
【００２９】
タブ成形機３１を通過したタブ材Ｔは、図９（ｃ）に示すように、タブ１が連結片Ｔ４でタブ材Ｔに連結された状態で、図７に示すコンバージョンプレス３２に送られる。コンバージョンプレス３２では、缶蓋本体の成形が行われると共に、缶蓋本体のリベット位置に対してタブ１のリベット孔６を位置決めした後、連結片Ｔ４を切断してタブ１をタブ材Ｔから分離し、リベットをリベット孔６に挿入してかしめ、タブ１を缶蓋本体に取り付ける。これによって、缶蓋Ｐを得る。
【００３０】
図１に示した実施形態（表面側が表示面２０であり、裏面側が被当接面２１であって、上向き凸の成形部１１が形成されている。）における開口動作の官能評価結果を下記の表１に示す。
【００３１】
官能評価試験では、実施形態のタブ１が取り付けられた缶蓋（表面側が表示面２０であり、裏面側が被当接面２１であって、上向き凸の成形部１１が形成されているタブ１が取り付けられた缶蓋）を例１、成形部１１をフラットにした以外は例１と同様の缶蓋を例２、成形部１１の向きを下向きに凸とした以外は例１と同様の缶蓋を例３として、これらに対して、開口動作の官能評価試験を行った。
【００３２】
官能評価試験での開口時の動作は、先ず、タブ１に指先を当てながらタブ１と蓋面の隙間に指を入れ、次に、タブ１の被当接面２１に指先を誘導すると同時にタブ１を指で持ち上げて初期開口する。その後、タブ１の被当接面２１に指の腹をしっかりと当て、タブ１を指の腹で引き上げることにより、缶蓋本体のスコアによって画成される開口片を押し下げる。
【００３３】
官能評価試験では、例１〜例３において、タブ１を指の腹で引き上げることにより、缶蓋本体のスコアによって画成される開口片を押し込む際に感じた違和感を相対的に評価した。例１のように上向き凸の成形部１１が形成されているものや、例２のようにフラットな成形部１１が形成されているものは、例３のように成形部１１の向きを下向きに凸としたものに比べて、引き上げ部の下面側の表面から被当接面２１までの間隔Ｓ１（図１参照）が上側（Ｚ方向）に大きく設けられているので、タブ１の被当接面２１に指先を誘導する際、指先が上側（Ｚ方向）に入り込みやすくなり、タブ１の引き上げ時の操作感は良くなると考えられる。
【００３４】
官能評価試験における評価指標は、例３を基準として、例３よりも違和感が少なく、タブの引き上げ時の操作感がとても良いと感じる場合を「◎」、例３よりも違和感が少なく、タブの引き上げ時の操作感が良いと感じる場合を「○」、例３よりも違和感がややあると感じる場合を「△」とした。
【００３５】
表１から明らかなように、例１（上向き凸の成形部１１を設けた例）と例２（フラットな成形部１１を設けた例）は、例３（下向き凸の成形部１１を設けた例）に対して、概ね違和感が少なく良好な操作感が得られるという結果になった。つまり、タブ１において表示部Ｔ１を表面側に設けて、裏面側から成形ツールを当接させ、上向き凸の成形部１１を成形したもの、或いは引き上げ部と固定部との間をフラットに成形したものは、乱れの無い表示部Ｔ１が得られるだけで無く、開口時に良好な操作感を得ることができる。そして、連結片Ｔ４の位置を押し上げ部に設けることで、タブ１に必要な剛性を確保することができる。
【００３６】
【表１】
2020001710.tif 000003
【００３７】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００３８】
１（１Ａ，１Ｂ，１Ｃ）：缶蓋開口用タブ（タブ），
２：引き上げ部，３：押し下げ部，４：固定部，５：スロット，
６：リベット孔，７：連結片切断痕，８：カール部，
１０，１１，１２，１３，１４：成形部，
１５：ビード形状部，１６：段差部，１７：チップアップ形状部，
２０：表示面，２０Ａ：表示部，２１：被当接面，
３０：描画装置，３１：タブ成形機，３２：コンバージョンプレス，
Ｔ：タブ材，Ｔ１：表示部，Ｔ２，Ｔ３：孔，Ｔ４：連結片，Ｔ５：カット線，
Ｐ：缶蓋
【図１】
2020001710.tif 000004
【図２】
2020001710.tif 000005
【図３】
2020001710.tif 000006
【図４】
2020001710.tif 000007
【図５】
2020001710.tif 000008
【図６】
2020001710.tif 000009
【図７】
2020001710.tif 000010
【図８】
2020001710.tif 000011
【図９】
2020001710.tif 000012
【図１０】
2020001710.tif 000013